(57)【要約】【課題】使用者の転落を防止しながら、使用者が介護を必要とする場合でも、その介護作業を容易に行うことのできる軽便なベッドを提供する。【解決手段】下部フレーム１上に使用者が横臥可能な床板フレーム２を設けたベッドであり、床板フレーム２は使用者の上半身を支持する起伏可能な上体レスト２２を含んで構成される。上体レスト２２は、その左右両側がサイドガード２２Ａとして幅方向中央の主面部２２Ｄに対し使用者側に屈曲可能とされる。又、下部フレーム１と上体レスト２２との間には、上体レスト２２の主面部２２Ｄに対して両サイドガード２２Ａを使用者側に屈曲せしめる作動部８が設けられる。【選択図】図４
2009142348.tif 000002
【特許請求の範囲】
【請求項１】
使用者の上半身を支持する部分であって左右両側が幅方向中央の主面部に対し前記使用者側に屈曲可能なサイドガードとされる上体レストと、その両サイドガードを前記主面部に対して屈曲せしめる作動部と、を有することを特徴とするベッド。
【請求項２】
下部フレーム上に使用者が横臥可能な床板フレームを設けたベッドにおいて、
前記床板フレームは使用者の上半身を支持する起伏可能な上体レストを含み、当該上体レストは、その左右両側がサイドガードとして幅方向中央の主面部に対し使用者側に屈曲可能とされ、
前記下部フレームと上体レストとの間には、前記上体レストの主面部に対して前記両サイドガードを使用者側に屈曲せしめる作動部が設けられていることを特徴とするベッド。
【請求項３】
前記作動部は、前記上体レストの主面部に沿って回転自在に支持される回転軸と、前記上体レストの起伏動作に連動して上下方向に旋回する旋回アームとを有し、
前記回転軸には、前記サイドガードに対応する第１クランクアームと、前記旋回アームの先端部に連接する第２クランクアームとが固設され、
前記回転軸は、前記上体レストの起立時に前記第１クランクアームの先端部が前記主面部の移動位置を越えて前記サイドガードの裏面を押圧するよう、前記第２クランクアームが前記旋回アームの先端部に連接されることを特徴とする請求項２記載のベッド。
【請求項４】
前記旋回アームとして、伸縮アクチュエータが用いられることを特徴とする請求項３記載のベッド。
【請求項５】
前記作動部は、前記上体レストの倒伏時において両サイドガードの直下となる位置で下部フレームに直立状に設けられる伸縮アクチュエータである請求項２記載のベッド。
【請求項６】
前記作動部は、前記上体レストの起伏動作に連動して上下方向に旋回する旋回アームを有し、当該旋回アームの先端部が前記上体レストの起立時に前記主面部の移動位置を越えて前記サイドガードの裏面を押圧する構成とされていることを特徴とする請求項２記載のベッド。
【発明の詳細な説明】
【技術分野】
【０００１】
本発明は、使用者の転落を防止することのできる安全性の高いベッドに係わり、特に身体機能が衰えた高齢者や身障者がベッドから転落するのを防止しながら、そのような要介護者の介護を容易に行えるようにしたベッドに関する。
【背景技術】
【０００２】
従来、横臥した使用者が就寝中に転落するのを防止するために左右両側に安全柵を設けたベッドが一般に広く賞用されているが、これに加えて使用者の上半身を支持する部分が起伏するようにした可動床式のベッドが知られている（例えば、特許文献１、２）。
【０００３】
ここに、特許文献１では、下部フレーム（枠体）の左右両側に安全柵としてのベッド枠を設けると共に、下部フレーム上に床板フレームとしてフレームを内蔵した折り曲げ自在なマット体を配置し、その背凭れ部分（上体レスト）が下部フレームに設けたリクライニング機構によって起伏されるようにしている。
【０００４】
一方、特許文献２では、起伏する上体レスト（背ボトム）の左右両側に支柱を介して側柵を固設すると共に、その両側柵に補助柵を連結し、係る補助柵がベッドの長手方向に回転もしくはスライドするようにしている。
【０００５】
【特許文献１】特開２００１−１２８７９６号公報
【０００６】
【特許文献２】特開２００２−２６３１４５号公報
【発明の開示】
【発明が解決しようとする課題】
【０００７】
しかしながら、特許文献１では、下部フレーム（枠体）の左右両側に安全柵としてのベッド枠を設けていることから、マット体の背凭れ部分を起立させたとき、使用者の両側にベッド枠が位置しなくなる。このため、背中を起した姿勢では安心感が得られず、身体の自由が利かない身障者などでは、介護者が付き添っていないと横転して椅子形となったベッド上から転落してしまう危険性がある。又、背凭れ部分を倒伏した状態では、ベッド枠が左右両側に位置して使用者を防護するものの、ベッド枠が横臥した使用者の両側に常置されたままでは、使用者が要介護者である場合、係るベッド枠がオムツの交換や衣服の着替えといった介護作業の障害になるという欠点がある。
【０００８】
一方、特許文献２は、起伏する上体レスト（背ボトム）の左右両側に側柵を固設していることから、上体レストを起立させたときでも側柵が使用者の両側に位置して使用者の横転、転落を防護することができる。しかし、係る側柵も上体レストを倒伏した状態において使用者の両側に立ちはだかるようになるので、介護者による介護作業に支障を来たすという欠点がある。
【０００９】
本発明は以上のような事情に鑑みて成されたものであり、その目的は使用者の転落を防止しながら、使用者が介護を必要とする場合でも、その介護作業を容易に行うことのできる軽便なベッドを提供することにある。
【課題を解決するための手段】
【００１０】
上記目的を達成するため、本発明に係るベッドは、
使用者の上半身を支持する部分であって左右両側が幅方向中央の主面部に対し前記使用者側に屈曲可能なサイドガードとされる上体レストと、その両サイドガードを前記主面部に対して屈曲せしめる作動部と、を有することを特徴とする。
【００１１】
又、下部フレーム上に使用者が横臥可能な床板フレームを設けたベッドにおいて、
前記床板フレームは使用者の上半身を支持する起伏可能な上体レストを含み、当該上体レストは、その左右両側がサイドガードとして幅方向中央の主面部に対し使用者側に屈曲可能とされ、
前記下部フレームと上体レストとの間には、前記上体レストの主面部に対して前記両サイドガードを使用者側に屈曲せしめる作動部が設けられていることを特徴とする。
【００１２】
加えて、前記作動部は、前記上体レストの主面部に沿って回転自在に支持される回転軸と、前記上体レストの起伏動作に連動して上下方向に旋回する旋回アームとを有し、
前記回転軸には、前記サイドガードに対応する第１クランクアームと、前記旋回アームの先端部に連接する第２クランクアームとが固設され、
前記回転軸は、前記上体レストの起立時に前記第１クランクアームの先端部が前記主面部の移動位置を越えて前記サイドガードの裏面を押圧するよう、前記第２クランクアームが前記旋回アームの先端部に連接されることを特徴とし、好ましくは、前記旋回アームとして、伸縮アクチュエータが用いられることを特徴とする。
【００１３】
又、前記作動部は、前記上体レストの倒伏時において両サイドガードの直下となる位置で下部フレームに直立状に設けられる伸縮アクチュエータであることを特徴とする。
【００１４】
更に、前記作動部は、前記上体レストの起伏動作に連動して上下方向に旋回する旋回アームを有し、当該旋回アームの先端部が前記上体レストの起立時に前記主面部の移動位置を越えて前記サイドガードの裏面を押圧する構成とされていることを特徴とする。
【発明の効果】
【００１５】
本発明に係るベッドによれば、使用者の上半身を支持する上体レストの左右両側が使用者側に屈曲可能なサイドガードとされると共に、その両サイドガードを使用者側に屈曲せしめる作動部を有していることから、サイドガードを曲げ起こして使用者の転落を防止でき、使用者のオムツ交換や衣服を着替えさせる場合にはサイドガードを展開して介護作業を容易に行うことができる。
【００１６】
又、上体レストが起伏可能とされていることから、上体レストの起立によって身体の自由が利かない使用者の背中を起こした場合でも、サイドガードを曲げ起こして使用者の横転、転落を防止することができる。
【００１７】
加えて、作動部が上体レストの起伏動作に連動して上下方向に旋回する旋回アームを有し、その旋回動作により上体レストの起立時においてサイドガードが屈曲されて使用者の両側に曲げ起こされるようにしてあることから、上体レストの起立時にサイドガードを確実に屈曲せしめて使用者を防護することができ、しかも旋回アームに伸縮アクチュエータを用いることにより、上体レストの倒伏時においてもサイドガードを屈曲させて横臥した使用者の就寝中の転落を防止することが可能となる。
【００１８】
又、上体レストの倒伏時において両サイドガードの直下となる位置に伸縮アクチュエータを設ける構成では、伸縮アクチュエータの伸張によりサイドガードを屈曲させて横臥した使用者が就寝中にベッドから転落することを防止でき、必要に応じて伸縮アクチュエータを縮小してサイドガードを展開すれば、介護作業を容易に行うことができる。
【発明を実施するための最良の形態】
【００１９】
以下、図面に基づいて本発明に係るベッドの構成を詳しく説明する。図１は係るベッドの構成例を示した側面概略図である。図１において、１は下部フレームであり、この下部フレーム１上には使用者Ｍが横臥できるように展開する床板フレーム２が設けられる。本例において、床板フレーム２は、使用者Ｍの頭部を支持するヘッドレスト２１、使用者Ｍの頭部を除く上半身（背部）を支持する上体レスト２２、使用者Ｍの臀部及び大腿部を支持する座部レスト２３、並びに使用者Ｍの下腿部を支持する下腿部レスト２４に区分されている。その各レスト２１〜２４は金属板などから成る硬質の板材で、それらにより構成される床板フレーム２上にはマットレス３が着脱自在に配置される。
【００２０】
マットレス３は、ヘッドレスト２１上に配置されるマット３１、上体レスト２２上に配置されるマット３２、座部レスト２３及び下腿部レスト２４上に配置されるマット３３に切り分けられ、マット３３は下腿部レスト２４に対してその長さ方向（図１の左右方向）に摺動可能に配置されている。
【００２１】
ここに、ヘッドレスト２１は下部フレーム１に立てられる支柱１１，１２の上端に水平状にして固着され、上体レスト２２はヘッドレスト２１とは連結されず上下方向に旋回して起伏可能とされており、当該上体レスト２２と座部レスト２３はそれらの底面側境界部分に配される伸縮自在なパンタグラフ状の伸縮リンク機構４により屈曲自在に連結されている。尚、伸縮リンク機構４は、床板フレーム２の幅方向両側に設けられている。
【００２２】
又、図１において、５は上体レスト２２を起伏させるための起伏装置であり、この起伏装置５は上下方向に旋回可能とされる起伏アーム５１と、この起伏アーム５１を旋回駆動するアクチュエータ５２とにより構成される。起伏アーム５１は長辺部５１Ａと短辺部５１Ｂとを有するＬ形で、その長辺部５１Ａ側が上体レスト２２に固着されており、短辺部５１Ｂ側の一端は下部フレーム１に固設したブラケット１３に枢軸５１Ｃにて結合されている。又、起伏アーム５１は、左右一対の伸縮リンク機構４の内側で上体レスト２２の幅方向両側に２つ並列状に設けられ、その両者５１，５１間には連結軸５１Ｄが架設されている。これにより、２つの起伏アーム５１が枢軸５１Ｃを中心にして上下方向に同調して旋回するようになっている。
【００２３】
一方、アクチュエータ５２は、本体部５２Ａと伸縮ロッド部５２Ｂとにより構成される伸縮形（流体圧シリンダのほか、モータ駆動によって伸縮するものを含む）であり、その本体部５２Ａは下部フレーム１に揺動自在に取り付けられ、伸縮ロッド部５２Ｂの先端は上記連結軸５１Ｄの中央部分に接続されている。しかして、伸縮ロッド部５２Ｂを伸縮駆動すると左右一対の起伏アーム５１が枢軸５１Ｃを中心に旋回し、これにより上体レスト２２の起伏動作が行われる構成とされている。
【００２４】
尚、図１に示されるように、上体レスト２２の倒伏時において、起伏アーム５１は下部フレーム１との間に伸縮ロッド部５２Ｂを縮小させた状態で介在するアクチュエータ５２により図１の時計回りの旋回を規制され、上体レスト２２は旋回規制された状態の起伏アーム５１と上記支柱１２とにより水平状に支持される。
【００２５】
又、図１で明らかなように、座部レスト２３及び下腿部レスト２４は、上記伸縮リンク機構４と同様の構成を有する伸縮リンク機構６により屈曲自在に連結されている。このうち、下腿部レスト２４は、支点軸７を中心に上下方向に旋回可能に設けられている。支点軸７は、下部フレーム１に固設される左右一対のブラケット１４に架設されており、下腿部レスト２４の底面には、支点軸７に連結する左右一対のアーム部２４Ａが固着されている。尚、伸縮リンク機構６は、左右一対のブラケット１４の外側で床板フレーム２の幅方向両側に設けられている。
【００２６】
そして、係るベッドによれば、アクチュエータ５２の伸縮ロッド部５２Ｂを伸長せしめると、起伏アーム５１が枢軸５１Ｃを中心にして上方に９０度旋回し、これにより上体レスト２２が座部レスト２３側に旋回しながら起立し、このとき座部レスト２３が上体レスト２２に押されて下腿部レスト２４側に移動されるために、伸縮リンク機構６を介して座部レスト２３と連結される下腿部レスト２４が支点軸７を中心に図１の反時計回りに旋回し、当該下腿部レスト２４が座部レスト２３に対し下向きに鋭角状に折れ曲がって図２のような椅子形になる。
【００２７】
尚、上体レスト２２の起立により、当該上体レスト２２、座部レスト２３、及び下腿部レスト２４が図２に示すよう椅子形に折れ曲がるとき、上体レスト２２側の伸縮リンク機構４は伸長し、下腿部レスト２４側の伸縮リンク機構６は逆に縮小する。又、上体レスト２２の倒伏時には、図１のように、伸縮リンク機構４が縮小する一方、伸縮リンク機構６が伸長し、下腿部レスト２４が座部レスト２３の一端側で水平状に展開しながら、各レスト２１〜２４が水平方向に縦列状に配列して使用者Ｍを横臥状態に支持するベッド面が形成される。但し、本例では、上体レスト２２の倒伏時において、座部レスト２３は上体レスト２２側よりも下腿部レスト２４側が若干高くなる傾斜状となり、これにより上体レスト２２の起立動作が行われている最中に使用者の臀部が下腿部レスト２４側に滑り動くことが防止されているほか、下腿部レスト２４が確実に下向きに折れ曲がるよう配慮されている。又、下腿部レスト２４が水平状に展開すると、伸縮リンク機構６の伸長により座部レスト２３との間に幅広の隙間を生ずるが、ブラケット１４にはアーム１５を介して上記隙間に収まる受座１６が取り付けられ、その受座１６により座部レスト２３と下腿部レスト２４との間の隙間でマットレス３（マット３３の中間部分）が支持されるようになっている。
【００２８】
特に、図３から明らかなように、座部レスト２３はその中央部分が降下口２３Ａとして凹字形に切り欠かれ、その降下口２３Ａに使用者の臀部を支持するフラップ板２３Ｂが設けられている。フラップ板２３Ｂは、その一端縁が図示せぬヒンジにより座部レスト２３に枢着されて上体レスト２２側が昇降するようになっている。尚、図３において、２３Ｃはフラップ板２３Ｂの降下量を制限するストッパである。
【００２９】
図１、図２から明らかなように、フラップ板２３Ｂの底部には凸部２３Ｄ（例えばローラ）が設けられ、下部フレーム１には凸部２３Ｄに対応して所定の位置に受座１７が固設されている。そして、図１のように、上体レスト２２の倒伏時においては、凸部２３Ｄが受座１７で支持されることによりフラップ板２３Ｂが座部レスト２３と同一平面状となる位置まで突き上げられる一方、図２のように上体レスト２２が起立されたときには、フラップ板２３Ｂが受座１７による支持を失って（受座１７上の位置から離間して）ストッパ２３Ｃにより規制される下限位置まで下がり、これによって使用者の臀部がマット３３を変形させながら沈下するようになっている。従って、上体レスト２２の起立時には使用者の臀部が図３に示した降下口２３Ａに嵌まり込んで姿勢が安定するようになるために、使用者が身体のバランスを崩して横転してしまうことを防止できる。尚、上記のフラップ板２３Ｂを省略して上体レスト２２の倒伏時に受座１７でマット３３が支持されるようにしてもよく、この場合でも上体レスト２２の起立時には使用者の臀部を降下口２３Ａ内に沈み込ませて姿勢を安全させることができる。
【００３０】
又、本発明に係るベッドによれば、上体レスト２２の左右両側が使用者側（マットレス３が敷かれる表面側）に屈曲可能なサイドガード２２Ａとされ、その両サイドガード２２Ａ，２２Ａが上体レスト２２の起立時に屈曲して、図２のように使用者Ｍを左右両側から抱きかかえるようになっている。
【００３１】
図１、図２において、８はサイドガード２２Ａを屈曲させるべく下部フレーム１と上体レスト２２との間に介在せしめた作動部であり、本例において係る作動部８は、起伏アーム５１で回転自在に支持される回転軸８１と、上体レスト２２の起伏動作に連動して同方向に上下旋回する旋回アーム８２とで構成される。
【００３２】
図１、図２から明らかなように、回転軸８１は、サイドガード２２Ａに対応する第１クランクアーム８１Ａと、この第１クランクアーム８１Ａとは異なる方向に突出する第２クランクアーム８１Ｂとを有するクランク形で、第１クランクアームの先端にはサイドガード２２Ａの裏面を押圧するための加圧ローラ８１Ｃが設けられ、第２クランクアーム８１Ｂには旋回アーム８２の先端（移動端）が連接される。
【００３３】
一方、旋回アーム８２は回転軸８１に回転モーメントを作用させるもので、その一端は旋回支点として下部フレーム１に固設したブラケット１８にピン８２Ａにて接合され、先端が上述の如く回転軸８１の第２クランクアーム８１Ｂに連接されている。
【００３４】
しかして、上体レスト２２を起伏させるべく起伏アーム５１を上下旋回させると、回転軸８１も起伏アーム５１に同期してその支点（枢軸５１Ｃ）を中心に旋回し、その回転軸８１に連接される旋回アーム８２がその一端部（ピン８２Ａ）を中心に上下旋回するが、旋回アーム８２はその支点位置が起伏アーム５１の支点より後方の下腿部レスト２４側にあって、その長さが回転軸８１の旋回半径よりも大きく設定され、その相違により上体レスト２２の起伏動作に際して旋回アーム８２から回転軸８１に回転モーメントが作用し、上体レスト２２の起立時においては回転軸８１が図１の反時計回りの回転角変位を与えられ、サイドガード２２Ａの裏面に接触した状態に維持される加圧ローラ８１Ｃにより、サイドガード２２Ａが裏面側から押圧されて使用者の両側に曲げ起こされるようになっている。
【００３５】
図４は、上体レスト２２を起立させたときの状態を上方からみた図である。この図で明らかなように、上体レスト２２は平板状の受板２２Ｂ上にヒンジ２２Ｃで結合された３枚の板材を配した構成で、その中間の板材が受板２２Ｂに固定される主面部２２Ｄとされ、その左右両側の板材が主面部２２Ｄに対して使用者側に屈曲可能な上記のサイドガード２２Ａとされている。尚、ヒンジ２２Ｃは受板２２Ｂ上にあって両サイドガード２２Ａ，２２Ａが使用者Ｍとは反対の裏面側（受板２２Ｂ側）に屈曲するのを規制している。
【００３６】
そして、上体レスト２２の起立時には、図４のように上記第１クランクアームの先端部（加圧ローラ８１Ｃ）が主面部２２Ｄの移動位置を越えてサイドガード２２Ａの裏面を押圧し、これによってサイドガード２２Ａがヒンジ２２Ｃを中心に使用者Ｍ側に屈曲して使用者を両側から支えるようになるのであり、このため身体の自由が利かない要介護者が背中を起こされたとき横転、転落してしまうことを防止することができる。
【００３７】
尚、図４及び図５のように、上体レスト２２に対応するマット３２は、サイドガード２２Ａの屈曲動作を阻害せぬよう、両サイドガード２２Ａに対応するマット部材３２Ａと、主面部２２Ｄに対応するマット部材３２Ｂとに区分されるが、それらを屈曲容易な柔軟材から形成して一体構造とすることもできる。
【００３８】
ここに、上体レスト２２の倒伏時には、回転軸８１が上体レスト２２の起立時とは逆方向に回転され、これにより加圧ローラ８１Ｃが図６の実線で示されるよう主面部２２Ｄと同一平面内に戻され、しかしてサイドガード２２Ａが自重で主面部２２Ｄの位置まで降下して平面状に展開するのであり、そのためにサイドガード２２Ａが介護作業の障害とならず、横臥した使用者（要介護者）のオムツ交換や身体の汗拭きなどを容易に行うことが可能となる。
【００３９】
しかし、上体レスト２２の倒伏時において、これが平面状に展開したままであると、横臥した使用者が就寝中に床板フレーム上から転落してしまう危険性がある。そこで、本例のベッドでは、上体レスト２２が倒伏した状態において、サイドガード２２Ａを必要に応じて屈曲させ得るようにしている。これには、上記の旋回アーム８２に伸縮アクチュエータを用いればよい。
【００４０】
図６において、旋回アーム８２は伸縮アクチュエータとしての単動型の流体圧シリンダであり、その伸縮ロッド部８２Ｂが回転軸８１の第２クランクアーム８１Ｂに連接され、その伸縮ロッド部８２Ｂを伸長させることによりサイドガード２２Ａの屈曲、曲げ起こしが行われるようにしてある。
【００４１】
図７は、上体レスト２２の倒伏時においてサイドガード２２Ａが屈曲されて使用者Ｍの左右両側に曲げ起こされた状態を示す。図７のように、上体レスト２２の倒伏時にサイドガード２２Ａが屈曲すれば、横臥した使用者Ｍは就寝中に床板フレーム２上から転落してしまうことはなく、サイドガード２２Ａを図７の実線位置に退けて上体レスト２２を平面状に展開すれば、介護作業を容易に行うことができる。特に、上体レスト２２の倒伏時において、サイドガード２２Ａを屈曲させ得る構成では、自ら寝返りすることのできない使用者Ｍを上体レスト２２の片側に寄せ、その状態でサイドガード２２Ａを屈曲させることにより使用者Ｍに寝返りをさせることが可能となり、介護者にかかる負担を大幅に軽減することができる。
【００４２】
尚、図７から明らかなように、回転軸８１は起伏アーム５１に設けた軸受５１Ｅにより上体レスト２２の主面部２２Ｄに沿って回転自在に支持されるが、この回転軸８１を上体レスト２２の受板２２Ｂで支持するようにしてもよい。
【００４３】
又、図７および図８から明らかなように、伸縮アクチュエータから成る旋回アーム８２は、起伏装置を構成するアクチュエータ５２を挟んで２つ並列に設けられ、その各先端に左右のサイドガード２２Ａ，２２Ａに対応して回転軸８１が個別に連接されている。これによれば、２つの旋回アーム８２を個別に伸縮駆動して左右のサイドガード２２Ａを別々に屈曲されることが可能となるが、２つの回転軸８１を一本化し、その中央に第２クランクアーム８１Ｂを固設して単一の旋回アーム８２の伸縮動作で両サイドガード２２Ａ，２２Ａの屈曲が同時に行われる構成としてもよい。但し、この場合には、旋回アーム８２と起伏装置を構成するアクチュエータ５２とが干渉せぬように、旋回アーム８２を挟んで２つのアクチュエータ５２が並列に設けられる構成とされる。
【００４４】
次に、図９は作動部の変更例を示す。図９において、旋回アーム８２は「く」の字形に折れ曲がった部材から成る。特に、本例では旋回アーム８２が上体レスト２２の左右両側に位置して２つ並列に設けられ、その各先端に両サイドガード２２Ａ，２２Ａに対応する加圧ローラ８１Ｃ（図９には片側の一方のみが示される）が設けられる。
【００４５】
それら旋回アーム８２の各一端も上記例と同じく下部フレーム１の部位にピン８２Ａにて接合されるが、旋回アーム８２の中間部分はリンク８３を介して起伏アーム５１に連接され、起伏アーム５１の支点（枢軸Ｃ）、旋回アーム８２の支点（ピン８２Ａ）、ならびに起伏アーム５１と旋回アーム８２に対するリンク８３の結節点５１Ｄ，８３Ａが平行四辺形を形成するような接続形態とされる。そして、このような作動部８でも、旋回アーム８２が上体レスト２２の起伏動作に連動して上下方向に旋回し、上体レスト２２の起立時においては旋回アーム８２の先端部（加圧ローラ８１Ｃ）が上体レスト２２の主面部２２Ｄの移動位置を越えて両サイドガード２２Ａの裏面を押圧するのであり、このため両サイドガード２２Ａを使用者側に屈曲せしめて背中を起こされた使用者の横転、転落を防止することができる。
【００４６】
尚、図９に示されるような作動部８では、上体レスト２２を倒伏させた状態でサイドガード２２Ａを屈曲させることはできないが、旋回アーム８２とは別に図示せぬ伸縮アクチュエータを付加し、これを上体レスト２２の倒伏時において両サイドガード２２Ａの直下となる位置で下部フレーム１に直立状に設ければ、上記例と同じく上体レスト２２の倒伏時においてもサイドガード２２Ａを屈曲させて横臥した使用者の転落を防止することが可能となる。
【００４７】
以上、本発明に係るベッドの構成例を説明したが、上体レスト２２を起伏させる構成は上記例に限らず、種々の機構を採用することができる。又、ヘッドレスト２１と上体レスト２２とを一体構造とし、ヘッドレスト２１が上体レスト２２と一体として起伏するようにしてもよい。
【００４８】
更に、上体レスト２２は起伏可能とされていなくてもよく、少なくても上体レスト２２の左右両側が使用者側に屈曲可能なサイドガード２２Ａとされ、そのサイドガード２２Ａを屈曲させるための作動部８を備えたベッドであればよい。例えば、起伏せずして水平状の固設される上体レストにして、その両サイドガードの直下となる位置で下部フレーム１に図示せぬ伸縮アクチュエータを直立状に設けるようにしてもよい。
【図面の簡単な説明】
【００４９】
【図１】本発明に係るベッドを示す側面概略図（上体レストの倒伏時）
【図２】上体レストを起立させた状態を示す側面概略図
【図３】上体レストに連結する座部レストの構成を示す斜視図
【図４】上体レストを起立させた状態を示す平面図
【図５】上体レストを含む床板フレーム全体を示す平面概略図
【図６】上体レストの倒伏時にサイドガードを屈曲させる態様を示す説明図
【図７】倒伏した上体レストを示す断面図
【図８】床板フレームを上方からみた透視図
【図９】作動部の変更例を示す概略図
【符号の説明】
【００５０】
１  下部フレーム
２  床板フレーム
２１  ヘッドレスト
２２  上体レスト
２２Ａ  サイドガード
２２Ｃ  ヒンジ
２２Ｄ  主面部
３  マットレス
４  伸縮リンク機構
５  起伏装置
５１  起伏アーム
５２  アクチュエータ
６  伸縮リンク機構
８  作動部
８１  回転軸
８１Ａ  第１クランクアーム
８１Ｂ  第２クランクアーム
８１Ｃ  加圧ローラ
８２  旋回アーム
【図１】
2009142348.tif 000003
【図２】
2009142348.tif 000004
【図３】
2009142348.tif 000005
【図４】
2009142348.tif 000006
【図５】
2009142348.tif 000007
【図６】
2009142348.tif 000008
【図７】
2009142348.tif 000009
【図８】
2009142348.tif 000010
【図９】
2009142348.tif 000011